(57)【要約】      （修正有）【課題】排水管内部においてごみ等が詰まることによる排水機能の低下を防止することができるストレーナを提供する。【解決手段】建物屋上の躯体内に埋設され排水管の上部に位置するルーフドレンを覆うストレーナ１０であって、その下端において排水管の内径よりも大きい円形状に開口した開口部５ｃを有する中空形状からなる筐体５と、開口部５ｃに取り付けられ、かつその先端が半径方向外方に向けて傾斜しながら延びた複数の弾性部材６と、を備え、筐体５は、その下端が円形状の円周上に間隔を隔てて配置され、上端に向けて延びる複数の漉し部材５ａからなり、複数の該漉し部材５ａは、上端において一体化しており、複数の弾性部材６は、それぞれ半径方向内方に付勢することによって、その先端を排水管の内径よりも小さくすることができる。【選択図】図３
0003183942.tif 000002
【実用新案登録請求の範囲】
【請求項１】
建物屋上の躯体内に埋設された排水管の上部に位置するルーフドレンを覆うストレーナであって、
その下端において前記排水管の内径よりも大きい円形状に開口した開口部を有する中空形状からなる筐体と、
前記開口部に取り付けられ、かつその先端が半径方向外方に向けて傾斜しながら延びた複数の弾性部材と、を備え、
前記筐体は、その下端が前記円形状の円周上に間隔を隔てて配置され、上端に向けて延びる複数の漉し部材からなり、複数の該漉し部材は、前記上端において一体化しており、
前記複数の弾性部材は、それぞれ半径方向内方に付勢することによって、その先端を前記排水管の内径よりも小さくすることができる、ことを特徴とするストレーナ。
【請求項２】
前記筐体は、前記一端において半径方向外方に向けて延びたフランジを有する、ことを特徴とする請求項１に記載のストレーナ。
【請求項３】
前記弾性部材は、その中間部において一か所以上屈折している、ことを特徴とする請求項１又は請求項２に記載のストレーナ。
【考案の詳細な説明】
【技術分野】
【０００１】
本考案は、建物屋上等に設置されるルーフドレンに設けるストレーナに関する。
【背景技術】
【０００２】
ストレーナとは、金網や通水部を有する鉄板等からなるものであり、建物屋上等に設置されるルーフドレンにごみ等が流れ込まないようにするためのものである。
このようなストレーナについては、例えば特許文献１に開示されている。
なお、ルーフドレンとは、屋上近傍まで延びる排水管の上端部に対して、建物屋上等から雨水を導入して排水するためのものである。
【先行技術文献】
【特許文献】
【０００３】
【特許文献１】特開平１１−１５２７９１号公報、「ストレーナ」
【考案の概要】
【考案が解決しようとする課題】
【０００４】
図１は、従来例におけるストレーナの模式図である。
この図において、２１は建物屋上の躯体、２２は躯体２１内に埋設された排水管、２３は躯体２１の上面に設けられた防水層であり、２４は排水管の上端部に対して建物屋上等から雨水を導入して排水するためにもうけられたルーフドレンである。また、３０はルーフドレンにごみ等が流れ込まないようにするために設置されたストレーナであり、この例においてはストレーナ本体を構成する筐体２５と、筐体２５をルーフドレン２４に対して固定するための弾性部材２６から構成されている。なお、この例においては、筐体２５は中空形状であるため、弾性部材２６を筐体２５の天頂部から連結部材２７によって吊り下げるものを用いている。また、この例において連結部材２７は、筐体２５の天頂部裏面における取り付け金具２８によって取り付けられている。
【０００５】
筐体２５をルーフドレン２４に固定するための弾性部材２６は、この例においては、図２のように十字形状を形成する２本のバネからなるものを用いている。
この弾性部材２６を固定する場合は、この十字形状の４つの先端部分を下方向に屈曲させた形で排水管２２の内部に挿入する。これによって、屈曲した先端部分は排水管２２内部に対して押し付ける力が発生させるため、これによって弾性部材２６が排水管２２内部において固定される。
【０００６】
ここで、上記のストレーナ２５における弾性部材２６は、筐体２５の天頂部から連結部材２７によって吊り下げるものであって、十字形状を形成する２本のバネから構成されるものであるため、排水管２２への固定時において、この２本のバネが排水管２２の内径をそれぞれ横断するように位置することになる。そのため、ストレーナ３０の筐体２５をすり抜けたごみ等がここに引っかかることによって、排水管２２が詰まる場合があるという問題があった。
【０００７】
そこで、本考案の目的は、排水管内部においてごみ等が詰まることによる排水機能の低下を防止することができるストレーナを提供することにある。
【課題を解決するための手段】
【０００８】
本考案によれば、建物屋上の躯体内に埋設された排水管の上部に位置するルーフドレンを覆うストレーナであって、
その下端において前記排水管の内径よりも大きい円形状に開口した開口部を有する中空形状からなる筐体と、
前記開口部に取り付けられ、かつその先端が半径方向外方に向けて傾斜しながら延びた複数の弾性部材と、を備え、
前記筐体は、その下端が前記円形状の円周上に間隔を隔てて配置され、上端に向けて延びる複数の漉し部材からなり、複数の該漉し部材は、前記上端において一体化しており、
前記複数の弾性部材は、それぞれ半径方向内方に付勢することによって、その先端を前記排水管の内径よりも小さくすることができる、ことを特徴とするストレーナが提供される。
【０００９】
また、本考案の実施例によれば、前記筐体は、前記一端において半径方向外方に向けて延びたフランジを有する。
さらに、本考案の実施例によれば、前記弾性部材は、その中間部において一か所以上屈折している。
【考案の効果】
【００１０】
本考案のストレーナでは、弾性体からなる複数の弾性部材が、筐体の下端に取り付けられ、かつその先端が半径方向外方に向けて下方向に傾斜して延びることによって、ストレーナの固定時において、弾性部材が排水管の内径をそれぞれ横断するように位置することがなくなる。そのため、本考案のストレーナは、排水管内部においてごみ等が詰まることによる排水機能の低下を防止することができる。
【図面の簡単な説明】
【００１１】
【図１】従来のストレーナを用いた場合のルーフドレンの模式図である。
【図２】従来のストレーナの構成図である。
【図３】本考案の第１実施例によるストレーナの構成図である。
【図４】本考案の第１実施例よるストレーナを用いた場合のルーフドレンの模式図である。
【図５】本考案の第１実施例よるストレーナを用いた場合のルーフドレンの模式図である。
【図６】本考案の第２実施例によるストレーナの構成図である。
【考案を実施するための形態】
【００１２】
以下、本考案の好ましい実施形態を添付図面に基づいて詳細に説明する。なお、各図において共通する部分には同一の符号を付し、重複した説明を省略する。
【００１３】
図３は、本考案の第１実施例によるストレーナの構成図であって、図４は、本考案の第１実施例よるストレーナを用いた場合のルーフドレンの模式図である。
この図において、１は建物屋上の躯体、２は躯体１内に埋設された排水管、３は躯体１の上面に設けられた防水層であり、４は排水管の上端部に対して建物屋上等から雨水を導入して排水するために設けられたルーフドレンである。
また、１０はルーフドレンにごみ等が流れ込まないようにするために設置されたストレーナであり、５は筐体、５ａは漉し部材、５ｂは通水部、５ｃは開口部、５ｄは止め金具、６は弾性部材、６ａは屈折部である。
【００１４】
排水管２は、この例においては、改修用ドレン管４ａを接着させることによる改修を行っているものを想定しており、これによって排水管２内部は、凸部がない形状になっている。
なお、この例における改修用ドレン管４ａは、排水管２に接着する直管部と防水層３の接着する鍔部とが一体成型、熱溶着又は接着により一体化されており、全体が温風加熱により軟化かつ膨張可能な熱膨張樹脂からなるものを想定している。
【００１５】
筐体５は、この例においては、円柱形状と半球形状とを組み合わせた中空形状であり、ルーフドレン４に設置した場合において、ごみ等が排水管２に流れ込むことを防止するための複数の漉し部材５ａを有している。また、使用時における下端において排水管２の内径よりも大きい円形状に開口した開口部５ｃを有している。
【００１６】
筐体５における複数の漉し部材５ａは、この例においては、その下端が開口部５ｃにおける円形状の円周上に間隔を隔てて配置され、かつ上端に向けて延びる形状を有しており、その複数の漉し部材５ａは、上端において一体化している。
この形状を有することによって、隣接する漉し部材５ａ間を通水部５ｂとして機能させることが可能になる。そのため、漉し部材５ａによって、ごみ等が排水管２に流れ込むことを防止しながら、雨水等を排水管２に導入させることが可能になる。
【００１７】
なお、筐体５は、上述した構造以外であっても、例えば円柱形状や円錐形状からなるものを用いてもよい。ただし、ストレーナ１０をルーフドレン４に設置した場合に隙間が発生するのを防止するために、端部の開放形状は円形状であることが好ましい。
また、この構造以外にも、例えば筐体５を網状部材からなるものとし、その網目の隙間を通水部５ｂとして機能させるものであってもよい。また、筐体５について下端のみを開口させた形状（漉し部材５ａ間に隙間を設けない完全なドーム型形状）とし、筐体５の壁面に円形状等の小型の孔を無数に設けることによって、これを通水部５ｂとして機能させるものであってもよい。
【００１８】
止め金具５ｄは、後述する弾性部材６を筐体５に取り付けるためのものであり、この例においては漉し部材５ａの下端における外面に取り付けられているが、内面に取り付ける構成にあってもよい。また、安定的に取り付けることが可能であれば、例えば接着剤等によって取り付ける構成であってもよい。
【００１９】
弾性部材６は、この例においては、複数の弾性部材６が筐体５ａの下端において間隔を隔てて取り付けられる。図３の例は、３本の弾性部材６を取り付けた場合のストレーナ１０の例である。
また、この複数の弾性部材６は、その先端が半径方向外方に向けて下方向に傾斜して延びている。さらに、この複数の弾性部材６は、それぞれ半径方向内方に付勢することによって、その先端を排水管２の内径よりも小さくすることができる程度の弾性力を有している。
この構成を有することにより、ストレーナ１０を排水管２に固定させる際には、弾性部材６の先端をそれぞれ半径方向内方に付勢した状態で排水管２内部に挿入させる必要がある。そのため、弾性部材６の先端は、ストレーナ１０を排水管２内部に挿入した後において排水管２内部に向けて押し付ける力を発生し、弾性部材６を排水管２内部において固定することが可能になる。
【００２０】
弾性部材６は、固定の安定性を高めるために、屈折部６ａを設けて弾性部材６の先端部の傾きを大きくし、排水管２内部に対する押し付ける力を大きくする構成であってもよい。
また、例えば、図５のようにルーフドレン４又は排水管２の一部が排水管２の半径方向内方に向けて突出している形状である場合には、その突出した部分に沿うように予め弾性部材６の中間部において屈折部６ａを設けることによって、固定を容易にする構成であってもよい。この構成によって、弾性部材６は、突出部分に対して押し付ける力を発生させることになるため、ストレーナ１０を排水管２内部において固定することが可能になる。
なお、固定の安定性を高める必要がある場合や排水管２内部の形状に応じて必要がある場合には、屈折部６ａを二以上有する形状であってもよい。
【００２１】
また、図３〜図５の例においては、３本の弾性部材６が筐体５に取り付けられている場合について説明したが、２本又は４本以上の弾性部材６を筐体５ａに取り付ける構造にすることによって、より取り付けの安定性向上を図るものであってもよい。さらに、２本以上の弾性部材６については、排水管２内において安定的な固定が可能になる程度に間隔を開けて取り付ける必要があるが、この間隔は等間隔に取り付けられるものであることが好ましい。
また、この例における弾性部材６は、図３に示すように棒形状であるが、それぞれ半径方向内方に付勢することができるものであれば、例えば、平板形状からなる平板バネからなるものであってもよい。
【００２２】
図６は、本考案の第２実施例によるストレーナの構成図である。
この図において、７はフランジである。
【００２３】
フランジ７は、弾性部材６の端部の外周において、半径方向外方に向けて延びる構造を有している。これによって例えば、このフランジ７にネジ穴等を設けることによって躯体１にストレーナ５をさらに安定的に固定させることが可能になる。
【００２４】
上述した第１実施例において記載した弾性部材６について、筐体５の端部ではなくこのフランジ７の一部（例えば内周等）に止め金具５ｄや接着剤等を用いて取り付ける構成であってもよい。この構成によって、弾性部材６を取り付ける部分が筐体５の端部に限定されないため、取り付け位置を柔軟に変更することができる。
また、このフランジ７は、単に漉し部材５ｂの下端を連結するものであって、半径方向外方に向けて延びていないものであってもよい。
【００２５】
上述した本考案のストレーナ１０によれば、弾性体からなる複数の弾性部材６が、筐体５の下端に取り付けられ、かつその先端が半径方向外方に向けて下方向に傾斜して延びていることによって、ストレーナ１０の固定時に弾性部材６が排水管２の内径をそれぞれ横断するように位置することがなくなる。そのため、本考案のストレーナ１０は、排水管２内部においてごみ等が詰まることによる排水機能の低下を防止することができる。
【００２６】
なお、本考案は上述した実施形態に限定されず、実用新案登録請求の範囲の記載によって示され、さらに実用新案登録請求の範囲の記載と均等の意味および範囲内でのすべての変更を含むものである。
【符号の説明】
【００２７】
１  躯体、２  排水管、３  防水層、
４  ルーフドレン、４ａ  改修用ドレン管、
５  筐体、５ａ  漉し部材、５ｂ  通水部、
５ｃ  開口部、５ｄ  止め金具、
６  弾性部材、６ａ  屈折部、７  フランジ、
１０  ストレーナ、
２１  躯体、２２  排水管、２３  防水層、
２４  ルーフドレン、２５  筐体、２６  弾性部材、
２７  連結部材、２８  取り付け金具、
３０  ストレーナ
【図１】
0003183942.tif 000003
【図２】
0003183942.tif 000004
【図３】
0003183942.tif 000005
【図４】
0003183942.tif 000006
【図５】
0003183942.tif 000007
【図６】
0003183942.tif 000008